(57)【要約】  汎用的な撮像装置により得られる画像から生体情報を抽出することが妨げられることを抑える。入力される画像の各画素の輝度値を示す信号から低周波成分を分離する手のひら輝度推定部６及び表面反射成分強調部７と、低周波成分を分離した信号に対してデノイジング処理を行うdenoising処理部１３と、デノイジング処理後の信号と低周波成分とを互いに合成して画像を生成するmerge部９とを備えて画像処理装置１２を構成する。
2014142171.tif 000002
【特許請求の範囲】
【請求項１】
入力される画像の各画素の輝度値を示す信号から低周波成分を分離する分離部と、
前記低周波成分を分離した信号に対してデモザイキング処理を行うデモザイキング処理部と、
前記デモザイキング処理後の信号と前記低周波成分とを互いに合成して画像を生成する合成部と、
を備えることを特徴とする画像処理装置。
【請求項２】
請求項１に記載の画像処理装置であって、
前記低周波成分を分離した信号に対してノイズレベル推定を行うノイズレベル推定部と、
前記合成部で生成された画像の各画素の輝度値のムラが無くなるように、前記合成部で生成された画像の各画素の輝度値を補正する補正部と、
を備え、
前記デモザイキング処理部は、前記ノイズレベル推定の結果を用いて、デモザイキング処理を行う
ことを特徴とする画像処理装置。
【請求項３】
コンピュータが、
入力される画像の各画素の輝度値を示す信号から低周波成分を分離し、
前記低周波成分を分離した信号に対してデモザイキング処理を行い、
前記デモザイキング処理後の信号と前記低周波成分とを互いに合成して画像を生成する
ことを特徴とする画像処理方法。
【請求項４】
請求項３に記載の画像処理方法であって、
前記コンピュータが
前記低周波成分を分離した信号に対してノイズレベル推定を行い、そのノイズレベル推定の結果を用いて、デモザイキング処理を行ない、
前記生成した画像の各画素の輝度値のムラが無くなるように、前記生成した画像の各画素の輝度値を補正する
ことを特徴とする画像処理方法。
【請求項５】
コンピュータに、
入力される画像の各画素の輝度値を示す信号から低周波成分を分離し、
前記低周波成分を分離した信号に対してデモザイキング処理を行い、
前記デモザイキング処理後の信号と前記低周波成分とを互いに合成して画像を生成する
ことを実行させるためのプログラム。
【請求項６】
請求項５に記載のプログラムであって、
前記コンピュータに、
前記低周波成分を分離した信号に対してノイズレベル推定を行い、そのノイズレベル推定の結果を用いて、デモザイキング処理を行ない、
前記生成した画像の各画素の輝度値のムラが無くなるように、前記生成した画像の各画素の輝度値を補正する
ことを実行させるためのプログラム。
【請求項７】
入力される画像の各画素の輝度値を示す信号から低周波成分を分離する分離部と、
前記低周波成分を分離した信号に対してデノイジング処理を行うデノイジング処理部と、
前記デノイジング処理後の信号と前記低周波成分とを互いに合成して画像を生成する合成部と、
を備えることを特徴とする画像処理装置。
【請求項８】
請求項７に記載の画像処理装置であって、
前記低周波成分を分離した信号に対してノイズレベル推定を行うノイズレベル推定部と、
前記合成部で生成された画像の各画素の輝度値のムラが無くなるように、前記合成部で生成された画像の各画素の輝度値を補正する補正部と、
を備え、
前記デノイジング処理部は、前記ノイズレベル推定の結果を用いて、デノイジング処理を行う
ことを特徴とする画像処理装置。
【請求項９】
コンピュータが、
入力される画像の各画素の輝度値を示す信号から低周波成分を分離し、
前記低周波成分を分離した信号に対してデノイジング処理を行い、
前記デノイジング処理後の信号と前記低周波成分とを互いに合成して画像を生成する
ことを特徴とする画像処理方法。
【請求項１０】
請求項９に記載の画像処理方法であって、
前記コンピュータが
前記低周波成分を分離した信号に対してノイズレベル推定を行い、そのノイズレベル推定の結果を用いて、デノイジング処理を行ない、
前記生成した画像の各画素の輝度値のムラが無くなるように、前記生成した画像の各画素の輝度値を補正する
ことを特徴とする画像処理方法。
【請求項１１】
コンピュータに、
入力される画像の各画素の輝度値を示す信号から低周波成分を分離し、
前記低周波成分を分離した信号に対してデノイジング処理を行い、
前記デノイジング処理後の信号と前記低周波成分とを互いに合成して画像を生成する
ことを実行させるためのプログラム。
【請求項１２】
請求項１１に記載のプログラムであって、
前記コンピュータに、
前記低周波成分を分離した信号に対してノイズレベル推定を行い、そのノイズレベル推定の結果を用いて、デノイジング処理を行ない、
前記生成した画像の各画素の輝度値のムラが無くなるように、前記生成した画像の各画素の輝度値を補正する
ことを実行させるためのプログラム。
【発明の詳細な説明】
【技術分野】
【０００１】
本発明は、生体情報を含む画像に対して画像処理を行う技術に関する。
【背景技術】
【０００２】
既存の生体認証装置では、赤外線カメラなどの専用の撮像装置を用いて被検体を撮像して、その撮像した画像から抽出される生体情報と、予め登録される生体情報とが互いに一致するか否かを判断することにより、生体認証処理を行っている。【０００３】
ところで、近年の生体認証装置の低価格化の流れで、汎用的な撮像装置を備える生体認証装置が今後大きなシェアを占める見込みである。例えば、汎用的な撮像装置としては、単板の撮像素子やベイヤー配列のＲＧＢの各カラーフィルタなどを備える撮像装置が考えられる。そして、このような撮像装置で撮像された画像の各画素の輝度値を示す信号に対して、各カラーフィルタの透過光の周波数帯域の違いや各カラーフィルタの吸光特性の偏りなどにより生じるサンプリングノイズを低減するために、デモザイキング処理が行われる（例えば、特許文献１参照）。【０００４】
また、生体認証用の生体情報として静脈の形状が使用される場合がある。この場合、撮像された画像において静脈を示す部分は、血液中の還元ヘモグロビンの吸光特性により静脈の周辺部分に比べて輝度値が低く、輝度値の変化が静脈の周辺部分に比べて小さい。そのため、静脈が含まれる画像に対してデモザイキング処理を行うと、サンプリングノイズとともに、低周波成分も低減されてしまうおそれがあり、デモザイキング処理後の画像から生体情報として静脈の形状を抽出することが困難になる可能性がある。
【先行技術文献】
【特許文献】
【０００５】
【特許文献１】特開２０１１−１４３１００号公報
【発明の概要】
【発明が解決しようとする課題】
【０００６】
本発明では、汎用的な撮像装置により得られる画像から生体情報を抽出することが妨げられることを抑えることが可能な画像処理装置、画像処理方法、及びプログラムを提供することを目的とする。
【課題を解決するための手段】
【０００７】
本発明の画像処理装置は、入力される画像の各画素の輝度値を示す信号から低周波成分を分離する分離部と、前記低周波成分を分離した信号に対してデモザイキング処理を行うデモザイキング処理部と、前記デモザイキング処理後の信号と前記低周波成分とを互いに合成して画像を生成する合成部とを備える。【０００８】
また、本発明の画像処理方法は、コンピュータが、入力される画像の各画素の輝度値を示す信号から低周波成分を分離し、前記低周波成分を分離した信号に対してデモザイキング処理を行い、前記デモザイキング処理後の信号と前記低周波成分とを互いに合成して画像を生成する。【０００９】
また、本発明のプログラムは、コンピュータに、入力される画像の各画素の輝度値を示す信号から低周波成分を分離し、前記低周波成分を分離した信号に対してデモザイキング処理を行い、前記デモザイキング処理後の信号と前記低周波成分とを互いに合成することを実行させる。【００１０】
また、本発明の画像処理装置は、入力される画像の各画素の輝度値を示す信号から低周波成分を分離する分離部と、前記低周波成分を分離した信号に対してデノイジング処理を行うデノイジング処理部と、前記デノイジング処理後の信号と前記低周波成分とを互いに合成して画像を生成する合成部とを備える。【００１１】
また、本発明の画像処理方法は、コンピュータが、入力される画像の各画素の輝度値を示す信号から低周波成分を分離し、前記低周波成分を分離した信号に対してデノイジング処理を行い、前記デノイジング処理後の信号と前記低周波成分とを互いに合成して画像を生成する。【００１２】
また、本発明のプログラムは、コンピュータに、入力される画像の各画素の輝度値を示す信号から低周波成分を分離し、前記低周波成分を分離した信号に対してデノイジング処理を行い、前記デノイジング処理後の信号と前記低周波成分とを互いに合成して画像を生成することを実行させる。
【発明の効果】
【００１３】
本発明によれば、汎用的な撮像装置により得られる画像から生体情報を抽出することが妨げられることを抑えることができる。
【図面の簡単な説明】
【００１４】
【図１】実施形態の画像処理装置の一例を示す図である。
【図２】画像処理装置の動作を示すフローチャートである。
【図３】画像処理装置に入力される画像の一例を示す図である。
【図４】手のひら領域を特定した結果の一例を示す図である。
【図５】パディング処理を行った結果の一例を示す図である。
【図６】手のひら領域の１ライン分の各画素の輝度値を示す信号の一例を示す図である。
【図７】「f(i,j)」に対して平滑化処理を行った結果「Iest(i,j)」の一例を示す図である。
【図８】「f(i,j)」とガウス関数との畳み込み演算を行った結果「fσ(i,j)」と、「Iest」とを示す図である。
【図９】「f(i,j)」から低周波成分を分離した結果「fspec(i,j)」の一例を示す図である。
【図１０】「fspec(i,j)」に対してデモザイキング処理を行った結果「fdemos(i,j)」の一例を示す図である。
【図１１】「fdemos_gray(i,j)」と「fσ(i,j)」との合成結果「fmerge(i,j)」の一例を示す図である。
【図１２】他の実施形態の画像処理装置の一例を示す図である。
【図１３】画像処理装置の動作を示すフローチャートである。
【図１４】ノイズ画像の観測モデルの一例を示す図である。
【図１５】デモザイキング処理に係るノイズ画像の観測モデルの一例を示す図である。
【図１６】さらに他の実施形態の画像処理装置を示す図である。
【図１７】画像処理装置を模式的に示す図である。
【図１８】画像処理装置の動作を示すフローチャートである。
【図１９】ノイズレベル推定部及びdenoising処理部の一例を示す図である。
【図２０】さらに他の実施形態の画像処理装置を示す図である。
【図２１】画像処理装置を模式的に示す図である。
【図２２】画像処理装置の動作を示すフローチャートである。
【図２３】画像処理装置のハードウェアの一例を示す図である。
【発明を実施するための形態】
【００１５】
図１は、実施形態の画像処理装置を示す図である。
【００１６】
図１に示す画像処理装置１は、撮像装置２で撮像された画像に対してデモザイキング処理などの画像処理を行い生体認証装置３へ出力するものであって、領域特定部４と、padding処理部５と、手のひら輝度推定部６（分離部）と、表面反射成分強調部７（分離部）と、demosaicking処理部８（デモザイキング処理部）と、merge処理部９（合成部）と、輝度ムラ補正部１０とを備える。
【００１７】
撮像装置２は、単板の撮像素子とベイヤー配列のＲＧＢの各カラーフィルタにより被検体の撮像画像を取得する画像取得部１１を備える。
【００１８】
生体認証装置３は、画像処理装置１で画像処理された画像から生体情報（例えば、静脈の形状）を抽出し、その抽出した生体情報と予め登録されている生体情報とが一致するか否かを判断することにより生体認証処理を行う。
【００１９】
なお、画像処理装置１で画像処理された画像は、被検体が生体であるか否かを判断するための情報として使用してもよいし、医用画像として使用してもよい。
【００２０】
図２は、画像処理装置１の動作を示すフローチャートである。
【００２１】
まず、領域特定部４は、画像取得部１１で取得された画像が入力されると、その画像において被検体の手のひらに相当する領域である「手のひら領域」を特定する（Ｓ１）。例えば、領域特定部４は、図３に示すような手のひらが撮像された画像が入力されると、以下の式１に示す定義に従って、図４に示すように、入力画像の各画素のうち、「手のひら領域」に対応する各画素を白く（「mask(i,j):=1」）、「手のひら領域」以外の領域に対応する各画素を黒くする（「mask(i,j):=0」）。なお、「i」は領域特定部４に入力される画像の各画素の位置を２次元座標上の位置に対応させたときのその２次元座標の横軸方向の位置を示し、「j」はその２次元座標の縦軸方向の位置を示す。また、「mask(i,j)」は領域特定部４に入力される画像の各画素のうちの任意位置(i,j)の画素の輝度値を示す。また、「ROI(Region Of Interest)」は、「手のひら領域」を示すものであり、ROIを設定するためのアルゴリズムは特に限定されない。
【００２２】
【数１】
2014142171.tif 000003
・・・式１
【００２３】
次に、padding処理部５は、「手のひら領域」の各画素の輝度値として、Ｓ１で入力された画像の各画素のうち、対応する画素の輝度値を設定するともに、「手のひら領域」以外の領域の各画素の輝度値として、「手のひら領域」の各画素に設定した輝度値の平均値を設定することにより、パディング処理を行う（Ｓ２）。例えば、padding処理部５は、以下の式２に示す定義に従って、図５に示すように、「手のひら領域」の各画素の輝度値「fmp(i,j)」として、Ｓ１で入力された画像の各画素のうち、対応する画素の輝度値「f(i,j) (if mask(i,j)=1)」を設定するともに、「手のひら領域」以外の領域の各画素の輝度値「fmp(i,j)」として、「手のひら領域」の各画素に設定した輝度値の平均値「μ」を設定する。
【００２４】
【数２】
2014142171.tif 000004
・・・式２
【００２５】
次に、手のひら輝度推定部６は、Ｓ２で設定した「手のひら領域」の各画素の輝度値を示す信号に対して平滑化処理を行うことにより、高周波成分（例えば、手のひらの表面で反射する光を示す輝度値など、変化が激しい輝度値を示す信号）及び低周波成分（例えば、静脈で反射する光を示す輝度値など、変化が穏やかな輝度値を示す信号）が低減された「手のひら領域」の各画素の輝度値を示す信号を推定する（Ｓ３）。例えば、手のひら輝度推定部６は、以下の式３に示す定義に従って、Ｓ２で設定した「手のひら領域」の各画素の輝度値を示す信号「fmp」に対してsmoothing-spline変換処理などの平滑化処理を行うことにより、高周波成分及び低周波成分などが低減された「手のひら領域」の各画素の輝度値を示す信号「Iest」を推定する。図６は、図５に示す「手のひら領域」のi軸方向のある１ライン（破線）分の各画素の輝度値を示す信号の一例を示す図である。なお、図６に示すグラフの横軸は図５に示す「手のひら領域」のi軸方向の位置を示し、縦軸は輝度値を示している。図６に示す各画素の輝度値に対してsmoothing-spline変換処理を行った結果を図７に示す。また、手のひら輝度推定部６において行われる平滑化処理は、Ｓ２で設定した「手のひら領域」の各画素の輝度値に対して高周波成分及び低周波成分を低減することが可能なものであれば、特に限定されない。
【００２６】
【数３】
2014142171.tif 000005
・・・式３      
【００２７】
次に、表面反射成分強調部７は、Ｓ３で平滑化処理を行った各画素の輝度値を示す信号を使用して、Ｓ２で設定した「手のひら領域」の各画素の輝度値を示す信号から低周波成分を分離する（Ｓ４）。例えば、表面反射成分強調部７は、以下の式４に示す定義に従って、「f(i,j)」と「ガウス関数g(i,j)」との畳み込み演算処理を行った結果「fσ(i,j)」（図８に示す点線）が「Iest-d」（図８に示す実線）以上である場合、図９に示すように、低周波成分分離後の「手のひら領域」の各画素の輝度値「fspec(i,j)」として、「f(i,j)」を設定するとともに、「fσ(i,j)」が「Iest-d」よりも小さい場合（図８に示す破線枠内）、図９に示すように、「fspec(i,j)」としてＳ３で平滑化処理を行った各画素の輝度値「Iest(i,j)」を設定する（図９に示す破線枠内）。このとき、表面反射成分強調部７は、「Iest-d」よりも小さい「fσ(i,j)」を、Ｓ２で設定した「手のひら領域」の各画素の輝度値を示す信号の低周波成分と判断する。なお、「d」は、低周波成分の振幅よりも小さい正の整数とし、Ｓ３で平滑化処理を行った各画素の輝度値を示す信号「Iest」を図８に示すグラフの下方側にオフセットさせるために設定されている。「手のひら領域」の各画素の輝度値を示す信号において低周波成分は高周波成分に比べて少なく、その影響を受けて「Iest」は高周波成分が含まれる領域側（図８に示すグラフの上方側）にシフトしてしまう。本実施形態では、「Iest」を図８に示すグラフの下方側にオフセットさせることで、Ｓ２で設定した「手のひら領域」の各画素の輝度値から低周波成分をより精度良く分離させている。また、「ｄ」はゼロに設定してもよい。また、表面反射成分強調部７において行われる畳み込み演算処理は、「f(i,j)」に対して高周波成分及び低周波成分の傾向を保ったままサンプリングノイズなどを低減することが可能なものであれば、特に限定されない。
【００２８】
【数４】
2014142171.tif 000006
・・・式４
【００２９】
なお、表面反射成分強調部７は、以下の式５に示す定義に従って、低周波成分分離後の「手のひら領域」の各画素の輝度値を示す信号「fspec」として、「fmp」の最大値及び「Iest」の最大値のうち大きい方の値を設定するように構成してもよい。
【００３０】
【数５】
2014142171.tif 000007
・・・式５
【００３１】
次に、demosaicking処理部８は、Ｓ４で低周波成分を分離した「手のひら領域」の各画素の輝度値を示す信号に対して、デモザイキング処理を行う（Ｓ５）。例えば、demosaicking処理部８は、以下の式６に従って、Ｓ４で低周波成分を分離した「手のひら領域」の各画素の輝度値を示す信号「fspec」に対して、デモザイキング処理を行う。図１０は、図９に示す低周波成分を分離した後の１ライン分の各画素の輝度値を示す信号「fspec」に対して、デモザイキング処理を行った結果「fdemos」を示す図である。なお、demosaicking処理部８は、デモザイキング処理を行う際、デノイズイング（denoising）処理も行うように構成してもよい。また、demosaicking処理部８で行われるデモザイキング処理のアルゴリズムは、「fspec」に対して高周波成分の傾向を保ったままサンプリングノイズを低減することができるものであれば、特に限定されない。
【００３２】
【数６】
2014142171.tif 000008
・・・式６
【００３３】
次に、merge処理部９は、Ｓ５でデモザイキング処理を行った「手のひら領域」の各画素の輝度値を示す信号と、Ｓ４で分離した低周波成分とを互いに合成する（Ｓ６）。例えば、merge処理部９は、以下の式７に示す定義に従って、「fσ(i,j)」が「Iest-d」以上である場合、合成後の「手のひら領域」の各画素の輝度値「fmerge(i,j)」として、Ｓ５でデモザイキング処理を行った後の各画素の輝度値「fdemos(i,j)」のグレースケール変換処理後の「fdemos_gray(i,j)」を設定するとともに（図１１に示す破線枠外の実線）、「fσ(i,j)」が「Iest-d」よりも小さい場合、「fmerge(i,j)」として、「fσ(i,j)」を設定する（図１１に示す破線枠内の実線）。なお、グレースケール変換処理のアルゴリズムは特に限定されない。
【００３４】
【数７】
2014142171.tif 000009
・・・式７
【００３５】
なお、merge処理部９は、以下の式８に示す定義に従って、合成後の「手のひら領域」の各画素の輝度値を示す信号「fmerge」として、グレースケール変換処理後の各画素の輝度値を示す信号「fdemos_gray」の最小値及び「f(i,j)」と「ガウス関数g(i,j)」との畳み込み演算後の各画素の輝度値を示す信号「fσ」の最小値のうち小さい方の値を設定するように構成してもよい。
【００３６】
【数８】
2014142171.tif 000010
・・・式８
【００３７】
次に、輝度ムラ補正部１０は、Ｓ６で合成した「手のひら領域」の各画素の輝度値のムラが無くなるように、Ｓ６で合成した「手のひら領域」の各画素の輝度値を示す信号に対して補正処理を行う（Ｓ７）。例えば、輝度ムラ補正部１０は、以下の式９に示す定義に従って、Ｓ６で合成した「手のひら領域」の各画素の輝度値を示す信号「fmerge」に対して輝度ムラ補正処理を行い、その結果「fresult」を出力する。なお、「divisor」は以下の式１０に示す定義により求められるものとする。また、「０＜ｃ≦１」とする。また、Ｓ７の輝度ムラ補正処理を省略して、Ｓ６で合成した「手のひら領域」の各画素の輝度値「fmerge(i,j)」を画像処理装置１から出力してもよい。
【００３８】
【数９】
2014142171.tif 000011
・・・式９          
【００３９】
【数１０】
2014142171.tif 000012
・・・式１０
【００４０】
そして、生体認証装置３は、輝度ムラ補正部１０又はmerge処理部９から出力される画像から生体情報として静脈の形状などを抽出し、その抽出した生体情報と予め記憶部に記憶される生体情報とが互いに一致するか否かを判断することにより生体認証処理を行う。
【００４１】
このように、実施形態の画像処理装置１では、入力される画像から被検体の生体情報が含まれる低周波成分を分離し、その分離後の画像に対してデモザイキング処理を行った後、そのデモザイキング処理の結果と分離した低周波成分とを互いに合成している。その合成後の画像は、デモザイキング処理後であっても、低周波成分を含んでいるため、その合成後の画像から被検体の生体情報を高精度に抽出することができる。これにより、実施形態の画像処理装置１において、汎用的な撮像装置２により得られる画像に対して画像処理が行われることにより、その画像処理後の画像から生体情報を抽出することが妨げられることを抑えることができる。
【００４２】
また、実施形態の画像処理装置１では、デモザイキング処理後の信号と、低周波成分とを合成する際、その低周波成分としてサンプリングノイズが低減された「fσ(i,j)」を用いている。これにより、画像処理装置１で画像処理された画像からＳＮ比が低減された生体情報としての静脈の形状を高精度に抽出することができる。
【００４３】
また、実施形態の画像処理装置１は、画像取得部１１において可視カットフィルタが用いられ、画像取得部１１から出力される画像の色相関が比較的低い場合であっても、上述の効果を得ることができる。
【００４４】
また、実施形態の画像処理装置１では、輝度ムラ補正部１０において、合成した「手のひら領域」の各画素の輝度値のムラを抑えているため、例えば、生体認証装置３に備えられるフィルタのダイナミックレンジを小さくすることができる。
【００４５】
図１２は、他の実施形態の画像処理装置を示す図である。なお、図１に示す構成と同じ構成には同じ符号を付し、その説明を省略する。
【００４６】
図１２に示す画像処理装置１２は、撮像装置２で撮像された画像に対してデノイジング処理などの画像処理を行い生体認証装置３へ出力するものであって、領域特定部４と、padding処理部５と、手のひら輝度推定部６（分離部）と、表面反射成分強調部７（分離部）と、denoising処理部１３（デノイジング処理部）と、merge処理部９（合成部）と、輝度ムラ補正部１０とを備える。
【００４７】
図１３は、画像処理装置１２の動作を示すフローチャートである。なお、図１３に示すＳ１５のデノイジング処理以外の動作（Ｓ１１〜Ｓ１４、Ｓ１６、Ｓ１７）は、図２に示すＳ５のデモザイキング処理以外の動作（Ｓ１〜Ｓ４、Ｓ６、Ｓ７）と同様である。
【００４８】
まず、領域特定部４は、画像取得部１１で取得された画像が入力されると、その画像において被検体の手のひらに相当する領域である「手のひら領域」を特定する（Ｓ１１）。
【００４９】
次に、padding処理部５は、「手のひら領域」の各画素の輝度値として、Ｓ１１で入力された画像の各画素のうち、対応する画素の輝度値を設定するともに、「手のひら領域」以外の領域の各画素の輝度値として、「手のひら領域」の各画素に設定した輝度値の平均値を設定することにより、パディング処理を行う（Ｓ１２）。
【００５０】
次に、手のひら輝度推定部６は、Ｓ１２で設定した「手のひら領域」の各画素の輝度値を示す信号に対して平滑化処理を行うことにより、高周波成分（例えば、手のひらの表面で反射する光を示す輝度値など、変化が激しい輝度値を示す信号）及び低周波成分（例えば、静脈で反射する光を示す輝度値など、変化が穏やかな輝度値を示す信号）が低減された「手のひら領域」の各画素の輝度値を示す信号を推定する（Ｓ１３）。
【００５１】
次に、表面反射成分強調部７は、Ｓ１３で平滑化処理を行った各画素の輝度値を示す信号を使用して、Ｓ１２で設定した「手のひら領域」の各画素の輝度値を示す信号から低周波成分を分離する（Ｓ１４）。
【００５２】
次に、denosing処理部１３は、Ｓ１４で低周波成分を分離した「手のひら領域」の各画素の輝度値を示す信号に対して、デノイジング処理を行う（Ｓ１５）。
【００５３】
図１４は、ノイズ画像の観測モデルの一例を示す図である。
【００５４】
原画像ｆ（図１３のＳ１４で低周波成分を分離した「手のひら領域」の各画素の輝度値を示す信号）に対し、ノイズ付与過程により、ノイズηが加法的に作用し、物理的な観測系によりノイズ画像Ｆ＝ｆ＋ηが観測されたと仮定する(Observation)。ここでは説明上、簡単のためノイズは加法的に原画像ｆに付与されるものとする。デノイジング処理とは、今この仮定のもとでＦが与えられたとし、このときの原画像ｆの推定結果ｆ´を得る処理のことである。
【００５５】
一方、図１５は、デモザイキング処理に係るノイズ画像の観測モデルの一例を示す図である。ここでは説明の都合上、ＲＧＢカラー画像について行うが、多チャンネル画像（１チャンネル以上）でも同様である。
【００５６】
原カラー画像入力f=(fr, fg, fb)が得られたとする。Bayerパターンに代表される方法においては、これらを１枚の画像に特定の配列方法に従い並び替える（arrangement）。並び替え後には、光学系由来のノイズηが作用する。さらに、この１枚の画像から各チャンネルの画像を生成する際、画像補間等の計算上の誤差ζが加わる。これらの結果を観測して（Observation）、ノイズカラー画像Ｆ=(Fr, Fg, Fb)を得る。デモザイキング処理とは、今この仮定のもとでF=(Fr, Fg, Fb)が与えられたとし、このときの原カラー画像f=(fr, fg, fb)の推定結果ｆ^=(f^r, f^g, f^b)を得る処理のことである。
【００５７】
ノイズ付与過程の逆問題を解くという観点において、デモザイキング処理は、モザイキング処理という特殊な場合のデノイジング処理をいうことができる。
【００５８】
一方で処理を中心に見た場合、デモザイキング処理において、チャンネル数１という特別な場合において、arrangement/rearrangementは恒等変換でよく、interpolationの誤差はない。つまり、一般的なデノイジング処理となる。
【００５９】
次に、図１３のフローチャートにおいて、merge処理部９は、Ｓ１５でデノイジング処理を行った「手のひら領域」の各画素の輝度値を示す信号と、Ｓ１４で分離した低周波成分とを互いに合成する（Ｓ１６）。
【００６０】
次に、輝度ムラ補正部１０は、Ｓ１６で合成した「手のひら領域」の各画素の輝度値のムラが無くなるように、Ｓ１６で合成した「手のひら領域」の各画素の輝度値を示す信号に対して補正処理を行う（Ｓ１７）。
【００６１】
そして、生体認証装置３は、輝度ムラ補正部１０又はmerge処理部９から出力される画像から生体情報として静脈の形状などを抽出し、その抽出した生体情報と予め記憶部に記憶される生体情報とが互いに一致するか否かを判断することにより生体認証処理を行う。
【００６２】
このように、他の実施形態の画像処理装置１２においても、入力される画像から被検体の生体情報が含まれる低周波成分を分離し、その分離後の画像に対してデノイジング処理を行った後、そのデノイジング処理の結果と分離した低周波成分とを互いに合成している。その合成後の画像は、デノイジング処理後であっても、低周波成分を含んでいるため、その合成後の画像から被検体の生体情報を高精度に抽出することができる。これにより、実施形態の画像処理装置１２において、汎用的な撮像装置２により得られる画像に対して画像処理が行われることにより、その画像処理後の画像から生体情報を抽出することが妨げられることを抑えることができる。
【００６３】
図１６は、さらに他の実施形態の画像処理装置を示す図である。なお、図１２に示す構成と同じ構成には同じ符号を付し、その説明を省略する。
【００６４】
図１６に示す画像処理装置１４は、撮像装置２で撮像された画像に対してデノイジング処理などの画像処理を行い生体認証装置３へ出力するものであって、領域特定部４と、padding処理部５と、手のひら輝度推定部６（分離部）と、表面反射成分強調部７（分離部）と、ノイズレベル推定部１５と、denoising処理部１３（デノイジング処理部）と、merge処理部９（合成部）と、輝度ムラ補正部１０とを備える。
【００６５】
図１７は、図１６に示す画像処理装置１４を模式的に示す図である。なお、図１７では、領域特定部４、padding処理部５、及び輝度ムラ補正部１０の図示を省略している。
【００６６】
図１６や図１７に示すように、画像処理装置１４では、表面反射成分強調部７により低周波成分が分離された「手のひら領域」の各画素の輝度値を示す信号に対して、ノイズレベル推定を行った後、デノイジング処理を行う。
【００６７】
図１８は、画像処理装置１４の動作を示すフローチャートである。なお、図１８に示す動作において、Ｓ２５のノイズレベル推定以外の動作（Ｓ２１〜Ｓ２４、Ｓ２６〜Ｓ２８）は、図１３に示す動作（Ｓ１１〜Ｓ１７）と同様である。
【００６８】
まず、領域特定部４は、画像取得部１１で取得された画像が入力されると、その画像において被検体の手のひらに相当する領域である「手のひら領域」を特定する（Ｓ２１）。
【００６９】
次に、padding処理部５は、「手のひら領域」の各画素の輝度値として、Ｓ２１で入力された画像の各画素のうち、対応する画素の輝度値を設定するともに、「手のひら領域」以外の領域の各画素の輝度値として、「手のひら領域」の各画素に設定した輝度値の平均値を設定することにより、パディング処理を行う（Ｓ２２）。
【００７０】
次に、手のひら輝度推定部６は、Ｓ２２で設定した「手のひら領域」の各画素の輝度値を示す信号に対して平滑化処理を行うことにより、高周波成分（例えば、手のひらの表面で反射する光を示す輝度値など、変化が激しい輝度値を示す信号）及び低周波成分（例えば、静脈で反射する光を示す輝度値など、変化が穏やかな輝度値を示す信号）が低減された「手のひら領域」の各画素の輝度値を示す信号を推定する（Ｓ２３）。
【００７１】
次に、表面反射成分強調部７は、Ｓ２３で平滑化処理を行った各画素の輝度値を示す信号を使用して、Ｓ２２で設定した「手のひら領域」の各画素の輝度値を示す信号から低周波成分を分離する（Ｓ２４）。
【００７２】
次に、ノイズレベル推定部１５は、Ｓ２４で低周波成分を分離した「手のひら領域」の各画素の輝度値を示す信号に対して、ノイズレベルを推定する（Ｓ２５）。
【００７３】
次に、denosing処理部１３は、Ｓ２５で推定したノイズレベルを用いて、Ｓ２４で低周波成分を分離した「手のひら領域」の各画素の輝度値を示す信号に対して、すなわち、高周波成分の「手のひら領域」の各画素の輝度値を示す信号に対して、デノイジング処理を行う（Ｓ２６）。例えば、ノイズレベル推定及びdenoising処理は、図１９に示すように、ウェーブレット変換を用いた処理が考えられる。「S.D.Ruikar, D.D.Doye, “Wavelet Based Image Denoising Technique,” IJACSA, vol.2, no.3, March 2011.」参照。
【００７４】
次に、図１８のフローチャートにおいて、merge処理部９は、Ｓ２６でデノイジング処理を行った「手のひら領域」の各画素の輝度値を示す信号と、Ｓ２４で分離した低周波成分とを互いに合成する（Ｓ２７）。
【００７５】
次に、輝度ムラ補正部１０は、Ｓ２７で合成した「手のひら領域」の各画素の輝度値のムラが無くなるように、Ｓ２７で合成した「手のひら領域」の各画素の輝度値を示す信号に対して補正処理を行う（Ｓ２８）。
【００７６】
そして、生体認証装置３は、輝度ムラ補正部１０又はmerge処理部９から出力される画像から生体情報として静脈の形状などを抽出し、その抽出した生体情報と予め記憶部に記憶される生体情報とが互いに一致するか否かを判断することにより生体認証処理を行う。
【００７７】
このように、他の実施形態の画像処理装置１４においても、入力される画像から被検体の生体情報が含まれる低周波成分を分離し、その分離後の画像に対してデノイジング処理を行った後、そのデノイジング処理の結果と分離した低周波成分とを互いに合成している。その合成後の画像は、デノイジング処理後であっても、低周波成分を含んでいるため、その合成後の画像から被検体の生体情報を高精度に抽出することができる。これにより、他の実施形態の画像処理装置１４において、汎用的な撮像装置２により得られる画像に対して画像処理が行われることにより、その画像処理後の画像から生体情報を抽出することが妨げられることを抑えることができる。
【００７８】
また、他の実施形態の画像処理装置１４では、領域特定部４により、「手のひら領域」を特定し、その「手のひら領域」においてノイズレベル推定及びデノイジング処理を行っているため、様々な環境下での撮影であってもロバストに、ノイズ推定及びノイズ除去を行うことができる。
【００７９】
図２０は、さらに他の実施形態の画像処理装置を示す図である。なお、図１又は図１６に示す構成と同じ構成には同じ符号を付し、その説明を省略する。
【００８０】
図２０に示す画像処理装置１６は、撮像装置２で撮像された画像に対してデモザイキング処理などの画像処理を行い生体認証装置３へ出力するものであって、領域特定部４と、padding処理部５と、手のひら輝度推定部６（分離部）と、表面反射成分強調部７（分離部）と、ノイズレベル推定部１５と、demosaicking処理部８（デモザイキング処理部）と、merge処理部９（合成部）と、輝度ムラ補正部１０とを備える。
【００８１】
図２１は、図２０に示す画像処理装置１６を模式的に示す図である。なお、図２１では、領域特定部４、padding処理部５、及び輝度ムラ補正部１０の図示を省略している。
【００８２】
図２０や図２１に示すように、画像処理装置１６では、表面反射成分強調部７により低周波成分が分離された「手のひら領域」の各画素の輝度値を示す信号に対して、ノイズレベル推定を行った後、デモザイキング処理を行う。
【００８３】
図２２は、画像処理装置１６の動作を示すフローチャートである。なお、図２２に示す動作において、Ｓ３１〜Ｓ３４は図２のＳ１〜Ｓ４、図１３のＳ１１〜Ｓ１４、又は図１８のＳ２１〜Ｓ２４と同様であり、Ｓ３５は図１８のＳ２５と同様であり、Ｓ３６〜Ｓ３８は図２のＳ５〜Ｓ７と同様である。
【００８４】
まず、領域特定部４は、画像取得部１１で取得された画像が入力されると、その画像において被検体の手のひらに相当する領域である「手のひら領域」を特定する（Ｓ３１）。
【００８５】
次に、padding処理部５は、「手のひら領域」の各画素の輝度値として、Ｓ３１で入力された画像の各画素のうち、対応する画素の輝度値を設定するともに、「手のひら領域」以外の領域の各画素の輝度値として、「手のひら領域」の各画素に設定した輝度値の平均値を設定することにより、パディング処理を行う（Ｓ３２）。
【００８６】
次に、手のひら輝度推定部６は、Ｓ３２で設定した「手のひら領域」の各画素の輝度値を示す信号に対して平滑化処理を行うことにより、高周波成分（例えば、手のひらの表面で反射する光を示す輝度値など、変化が激しい輝度値を示す信号）及び低周波成分（例えば、静脈で反射する光を示す輝度値など、変化が穏やかな輝度値を示す信号）が低減された「手のひら領域」の各画素の輝度値を示す信号を推定する（Ｓ３３）。
【００８７】
次に、表面反射成分強調部７は、Ｓ３３で平滑化処理を行った各画素の輝度値を示す信号を使用して、Ｓ３２で設定した「手のひら領域」の各画素の輝度値を示す信号から低周波成分を分離する（Ｓ３４）。
【００８８】
次に、ノイズレベル推定部１５は、Ｓ３４で低周波成分を分離した「手のひら領域」の各画素の輝度値を示す信号に対して、ノイズレベルを推定する（Ｓ３５）。
【００８９】
次に、デモザイキング処理部８は、Ｓ３５で推定したノイズレベルを用いて、Ｓ３４で低周波成分を分離した「手のひら領域」の各画素の輝度値を示す信号に対して、すなわち、高周波成分の「手のひら領域」の各画素の輝度値を示す信号に対して、デモザイキング処理を行う（Ｓ３６）。
【００９０】
次に、merge処理部９は、Ｓ３６でデモザイキング処理を行った「手のひら領域」の各画素の輝度値を示す信号と、Ｓ３４で分離した低周波成分とを互いに合成する（Ｓ３７）。
【００９１】
次に、輝度ムラ補正部１０は、Ｓ３７で合成した「手のひら領域」の各画素の輝度値のムラが無くなるように、Ｓ３７で合成した「手のひら領域」の各画素の輝度値を示す信号に対して補正処理を行う（Ｓ３８）。
【００９２】
そして、生体認証装置３は、輝度ムラ補正部１０又はmerge処理部９から出力される画像から生体情報として静脈の形状などを抽出し、その抽出した生体情報と予め記憶部に記憶される生体情報とが互いに一致するか否かを判断することにより生体認証処理を行う。
【００９３】
このように、他の実施形態の画像処理装置１６においても、入力される画像から被検体の生体情報が含まれる低周波成分を分離し、その分離後の画像に対してデモザイキング処理を行った後、その処理の結果と分離した低周波成分とを互いに合成している。その合成後の画像は、デモザイキング処理後であっても、低周波成分を含んでいるため、その合成後の画像から被検体の生体情報を高精度に抽出することができる。これにより、他の実施形態の画像処理装置１６において、汎用的な撮像装置２により得られる画像に対して画像処理が行われることにより、その画像処理後の画像から生体情報を抽出することが妨げられることを抑えることができる。
【００９４】
また、他の実施形態の画像処理装置１６では、領域特定部４により、「手のひら領域」を特定し、その「手のひら領域」においてノイズレベル推定及びデモザイキング処理を行っているため、様々な環境下での撮影であってもロバストに、ノイズ推定及びノイズ除去を行うことができる。
【００９５】
図２３は、画像処理装置１を構成するハードウェアの一例を示す図である。
【００９６】
図２３に示すように、画像処理装置１、１２、１４、１６を構成するハードウェアは、制御部１２０１と、記憶部１２０２と、記録媒体読取装置１２０３と、入出力インタフェース１２０４と、通信インタフェース１２０５とを備え、それらがバス１２０６によってそれぞれ接続されている。なお、画像処理装置１、１２、１４、１６を構成するハードウェアは、クラウドなどを用いて実現してもよい。
【００９７】
制御部１２０１は、例えば、Central Processing Unit（ＣＰＵ）、マルチコアＣＰＵ、プログラマブルなデバイス（Field Programmable Gate Array（ＦＰＧＡ）、Programmable Logic Device（ＰＬＤ）など）を用いることが考えられ、図１や図２０に示す領域特定部４、padding処理部５、手のひら輝度推定部６、表面反射成分強調部７、demosaicking処理部８、merge処理部９、及び輝度ムラ補正部１０、図１２に示すdenoising処理部１３、図１６や図２０に示すノイズレベル推定部１５に相当する。
【００９８】
記憶部１２０２は、例えばRead Only Memory（ＲＯＭ）、Random Access Memory（ＲＡＭ）などのメモリやハードディスクなどが考えられる。なお、記憶部１２０２は、実行時のワークエリアとして用いてもよい。また、情報処理装置１、１２、１４、１６の外部に他の記憶部を設けてもよい。
【００９９】
記録媒体読取装置１２０３は、制御部１２０１の制御により、記録媒体１２０７に記録されるデータを読み出したり、記録媒体１２０７にデータを書き込んだりする。また、着脱可能な記録媒体１２０７は、コンピュータで読み取り可能なnon-transitory（非一時的）な記録媒体であって、例えば、磁気記録装置、光ディスク、光磁気記録媒体、半導体メモリなどが考えられる。磁気記録装置は、例えば、ハードディスク装置（ＨＤＤ）などが考えられる。光ディスクは、例えば、Digital Versatile Disc（ＤＶＤ）、ＤＶＤ−ＲＡＭ、Compact Disc Read Only Memory（ＣＤ−ＲＯＭ）、ＣＤ−Ｒ(Recordable)／ＲＷ（ReWritable）などが考えられる。光磁気記録媒体は、例えば、Magneto-Optical disk（ＭＯ）などが考えられる。なお、記憶部１２０２もnon-transitory（非一時的）な記録媒体に含まれる。
【０１００】
入出力インタフェース１２０４は、入出力部１２０８が接続され、ユーザにより入出力部１２０８から入力された情報をバス１２０６を介して制御部１２０１に送る。また、入出力インタフェース１２０４は、制御部１２０１から送られてくる情報をバス１２０６を介して入出力部１２０８に送る。
【０１０１】
入出力部１２０８は、例えば、キーボード、ポインティングデバイス（マウスなど）、タッチパネル、Cathode Ray Tube（ＣＲＴ）ディスプレイ、プリンタなどが考えられる。
【０１０２】
通信インタフェース１２０５は、Local Area Network（ＬＡＮ）接続やインターネット接続を行うためのインタフェースである。また、通信インタフェース１２０５は必要に応じ、他のコンピュータとの間のＬＡＮ接続やインターネット接続や無線接続を行うためのインタフェースとして用いてもよい。
【０１０３】
このようなハードウェアを有するコンピュータを用いることによって、画像処理装置１、１２、１４、１６が行う各種処理機能が実現される。この場合、画像処理装置１が行う各種処理機能の内容を記述したプログラムをコンピュータで実行することにより、上記各処理機能（例えば、領域特定部４、padding処理部５、手のひら輝度推定部６、表面反射成分強調部７、demosaicking処理部８、merge処理部９、及び輝度ムラ補正部１０）がコンピュータ上で実現される。各種処理機能の内容を記述したプログラムは、記憶部１２０２や記録媒体１２０７に格納しておくことができる。
【０１０４】
プログラムを流通させる場合には、例えば、そのプログラムが記録されたＤＶＤ、ＣＤ−ＲＯＭなどの記録媒体１２０７が販売される。また、プログラムをサーバコンピュータの記憶装置に記録しておき、ネットワークを介して、サーバコンピュータから他のコンピュータにそのプログラムを転送することもできる。
【０１０５】
プログラムを実行するコンピュータは、例えば、記録媒体１２０７に記録されたプログラム、又は、サーバコンピュータから転送されたプログラムを、記憶部１２０２に記憶する。そして、コンピュータは、記憶部１２０２からプログラムを読み取り、プログラムに従った処理を実行する。なお、コンピュータは、記録媒体１２０７から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
なお、上述の実施の形態では、手のひらの静脈を用いて認証を行う画像処理装置を例示して説明したが、これに限らず、生体のその他の特徴検出部位であればどこでもよい。
たとえば、生体のその他の特徴検出部位は、静脈に限らず、生体の血管像や、生体の紋様、生体の指紋や掌紋、足の裏、手足の指、手足の甲、手首、腕などであってもよい。
なお、認証に静脈を用いる場合、生体のその他の特徴検出部位は、静脈を観察可能な部位であればよい。
なお、生体情報を特定可能な生体のその他の特徴検出部位であれば認証に有利である。たとえば、手のひらや顔などであれば、取得した画像から部位を特定可能である。
また、上述の実施の形態は、実施の形態の要旨を逸脱しない範囲内において種々の変更を加えることができる。さらに、上述の実施の形態は、多数の変形、変更が当業者にとって可能であり、説明した正確な構成および応用例に限定されるものではない。
【符号の説明】
【０１０６】
１  画像処理装置
２  撮像装置
３  生体認証装置
４  領域特定部
５  padding処理部
６  手のひら輝度推定部
７  表面反射成分強調部
８  demosaicking処理部
９  merge処理部
１０  輝度ムラ補正部
１１  画像取得部
１２  画像処理装置
１３  denoising処理部
１４  画像処理装置
１５  ノイズレベル推定部
１６  画像処理装置
１２０１  制御部
１２０２  記憶部
１２０３  記録媒体読取装置
１２０４  入出力インタフェース
１２０５  通信インタフェース
１２０６  バス
１２０７  記録媒体
１２０８  入出力部
【図１】
2014142171.tif 000013
【図２】
2014142171.tif 000014
【図３】
2014142171.tif 000015
【図４】
2014142171.tif 000016
【図５】
2014142171.tif 000017
【図６】
2014142171.tif 000018
【図７】
2014142171.tif 000019
【図８】
2014142171.tif 000020
【図９】
2014142171.tif 000021
【図１０】
2014142171.tif 000022
【図１１】
2014142171.tif 000023
【図１２】
2014142171.tif 000024
【図１３】
2014142171.tif 000025
【図１４】
2014142171.tif 000026
【図１５】
2014142171.tif 000027
【図１６】
2014142171.tif 000028
【図１７】
2014142171.tif 000029
【図１８】
2014142171.tif 000030
【図１９】
2014142171.tif 000031
【図２０】
2014142171.tif 000032
【図２１】
2014142171.tif 000033
【図２２】
2014142171.tif 000034
【図２３】
2014142171.tif 000035
【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
入力される画像の各画素の輝度値を示す信号から低周波成分を分離する分離部と、
前記低周波成分を分離した信号に対してデモザイキング処理を行うデモザイキング処理部と、
前記デモザイキング処理後の信号と前記低周波成分とを互いに合成して画像を生成する合成部と、
を備えることを特徴とする画像処理装置。
【請求項２】
請求項１に記載の画像処理装置であって、
前記低周波成分を分離した信号に対してノイズレベル推定を行うノイズレベル推定部と、
前記合成部で生成された画像の各画素の輝度値のムラが無くなるように、前記合成部で生成された画像の各画素の輝度値を補正する補正部と、
を備え、
前記デモザイキング処理部は、前記ノイズレベル推定の結果を用いて、デモザイキング処理を行う
ことを特徴とする画像処理装置。
【請求項３】
コンピュータが、
入力される画像の各画素の輝度値を示す信号から低周波成分を分離し、
前記低周波成分を分離した信号に対してデモザイキング処理を行い、
前記デモザイキング処理後の信号と前記低周波成分とを互いに合成して画像を生成する
ことを特徴とする画像処理方法。
【請求項４】
請求項３に記載の画像処理方法であって、
前記コンピュータが
前記低周波成分を分離した信号に対してノイズレベル推定を行い、そのノイズレベル推定の結果を用いて、デモザイキング処理を行ない、
前記生成した画像の各画素の輝度値のムラが無くなるように、前記生成した画像の各画素の輝度値を補正する
ことを特徴とする画像処理方法。
【請求項５】
コンピュータに、
入力される画像の各画素の輝度値を示す信号から低周波成分を分離し、
前記低周波成分を分離した信号に対してデモザイキング処理を行い、
前記デモザイキング処理後の信号と前記低周波成分とを互いに合成して画像を生成する
ことを実行させるためのプログラム。
【請求項６】
請求項５に記載のプログラムであって、
前記コンピュータに、
前記低周波成分を分離した信号に対してノイズレベル推定を行い、そのノイズレベル推定の結果を用いて、デモザイキング処理を行ない、
前記生成した画像の各画素の輝度値のムラが無くなるように、前記生成した画像の各画素の輝度値を補正する
ことを実行させるためのプログラム。
【請求項７】
入力される画像の各画素の輝度値を示す信号を高周波成分と低周波成分とに分離する分離部と、
前記高周波成分に対してデノイジング処理を行うデノイジング処理部と、
前記デノイジング処理後の高周波成分と前記低周波成分とを互いに合成して画像を生成する合成部と、
を備えることを特徴とする画像処理装置。
【請求項８】
請求項７に記載の画像処理装置であって、
前記高周波成分に対してノイズレベル推定を行うノイズレベル推定部と、
前記合成部で生成された合成後の画像の各画素の輝度値のムラが無くなるように、前記合成部で生成された合成後の画像の各画素の輝度値を補正する補正部と、
を備え、
前記デノイジング処理部は、前記ノイズレベル推定の結果を用いて、デノイジング処理を行う
ことを特徴とする画像処理装置。
【請求項９】
コンピュータが、
入力される画像の各画素の輝度値を示す信号を高周波成分と低周波成分とに分離し、
前記高周波成分に対してデノイジング処理を行い、
前記デノイジング処理後の高周波成分と前記低周波成分とを互いに合成して画像を生成する
ことを特徴とする画像処理方法。
【請求項１０】
請求項９に記載の画像処理方法であって、
前記コンピュータが
前記高周波成分に対してノイズレベル推定を行い、そのノイズレベル推定の結果を用いて、デノイジング処理を行ない、
前記生成した合成後の画像の各画素の輝度値のムラが無くなるように、前記生成した合成後の画像の各画素の輝度値を補正する
ことを特徴とする画像処理方法。
【請求項１１】
コンピュータに、
入力される画像の各画素の輝度値を示す信号を高周波成分と低周波成分とに分離し、
前記高周波成分に対してデノイジング処理を行い、
前記デノイジング処理後の高周波成分と前記低周波成分とを互いに合成して画像を生成する
ことを実行させるためのプログラム。
【請求項１２】
請求項１１に記載のプログラムであって、
前記コンピュータに、
前記高周波成分に対してノイズレベル推定を行い、そのノイズレベル推定の結果を用いて、デノイジング処理を行ない、
前記生成した合成後の画像の各画素の輝度値のムラが無くなるように、前記生成した合成後の画像の各画素の輝度値を補正する
ことを実行させるためのプログラム。
【手続補正２】
【補正対象書類名】明細書
【補正対象項目名】００１０
【補正方法】変更
【補正の内容】
【００１０】
また、本発明の画像処理装置は、入力される画像の各画素の輝度値を示す信号を高周波成分と低周波成分とに分離する分離部と、前記高周波成分に対してデノイジング処理を行うデノイジング処理部と、前記デノイジング処理後の高周波成分と前記低周波成分とを互いに合成して画像を生成する合成部とを備える。
【手続補正３】
【補正対象書類名】明細書
【補正対象項目名】００１１
【補正方法】変更
【補正の内容】
【００１１】
また、本発明の画像処理方法は、コンピュータが、入力される画像の各画素の輝度値を示す信号を高周波成分と低周波成分とに分離し、前記高周波成分に対してデノイジング処理を行い、前記デノイジング処理後の高周波成分と前記低周波成分とを互いに合成して画像を生成する。
【手続補正４】
【補正対象書類名】明細書
【補正対象項目名】００１２
【補正方法】変更
【補正の内容】
【００１２】
また、本発明のプログラムは、コンピュータに、入力される画像の各画素の輝度値を示す信号を高周波成分と低周波成分とに分離し、前記高周波成分に対してデノイジング処理を行い、前記デノイジング処理後の高周波成分と前記低周波成分とを互いに合成して画像を生成することを実行させる。
【国際調査報告】
2014142171.tif 000036
2014142171.tif 000037